Podtech/llm-jp-corpus-v4-ja_patent huggingface dataset:
【手続補正書】
【提出日】平成29年11月1日(2017.11.1)
【手続補正１】
【補正対象書類名】特許請求の範囲
【補正対象項目名】全文
【補正方法】変更
【補正の内容】
【特許請求の範囲】
【請求項１】
太陽光発電部で発電した電力を電力会社から供給される商用電源に連系すると共に、前記太陽光発電部あるいは前記商用電源から住宅内の各電気機器に電力供給する太陽光発電システムに用いられ、電力情報を表示する表示装置を備えた太陽光発電システム用モニター装置であって、
前記表示装置が、
前記電力情報を表示する表示部と、
前記表示部が非表示状態のときに、前記電力情報の変化を検知しユーザーに通知する通知部とを備えた太陽光発電システム用モニター装置。
【請求項２】
前記表示部は、前記太陽光発電部あるいは前記商用電源から得られる電力情報に基づいて表示画面を構成する表示画面構成部で形成された表示情報を表示し、
前記通知部は、
通知すべき前記電力情報の閾値を設定する閾値設定手段と、
前記太陽光発電部あるいは前記商用電源から得られる電力情報が、前記閾値を超えているか否かの判定を行う閾値判定手段と、
前記閾値判定手段の判定結果に従い、前記電力情報を通知する通知表示部とを備えた請求項１に記載の太陽光発電システム用モニター装置。
【請求項３】
前記電力情報は、前記電力会社と前記ユーザーとの間の売買電力を示す売買電力情報、前記太陽光発電部で発電した発電電力を示す発電電力情報、および前記ユーザーによって消費される消費電力を示す消費電力情報の少なくとも一つを含む、請求項１または２に記載の太陽光発電システム用モニター装置。
【請求項４】
前記太陽光発電システムは、前記太陽光発電部で発電された電力を変換するパワーコンディショナを有し、
前記通知部は、さらに前記パワーコンディショナの状態に変化があった場合に、ユーザーに通知する機能を有する請求項２又は３に記載の太陽光発電システム用モニター装置。
【請求項５】
前記通知表示部は、ＬＥＤの点灯、点滅によって前記電力情報の状態変化を通知するものである請求項２に記載の太陽光発電システム用モニター装置。
【請求項６】
前記通知部は、さらに音声によって前記電力情報の状態変化をユーザーへ通知する音声通知手段を備えた音声通知部を含む請求項２に記載の太陽光発電システム用モニター装置。
【請求項７】
前記通知部は、
売買電力の状態変化の閾値を設定する売買電力閾値設定手段と、設定された閾値を元に売買電力の閾値を超えたことを判定する売買電力閾値判定手段と、前記売買電力が売電か買電か及び程度を示す売買電力ＬＥＤ表示手段と、
発電電力の状態変化の閾値を設定する発電電力閾値設定手段、設定された閾値を元に発電電力の閾値を超えたことを判定する発電電力閾値判定手段、前記太陽光発電部が発電しているか及び程度を示す発電電力ＬＥＤ表示手段と、
消費電力の状態変化の閾値を設定する消費電力閾値設定手段と、設定された閾値を元に消費電力の閾値を超えたことを判定する消費電力閾値判定手段と、前記ユーザーが電力を消費しているか及び程度を示す消費電力ＬＥＤ表示手段と、
前記売買電力、前記発電電力、および前記消費電力の状態が変化したことを通知するための音声通知手段とを有する請求項３から６のいずれか１項に記載の太陽光発電システム用モニター装置。
【請求項８】
太陽光発電部と、前記太陽光発電部で発電した電力を商用電源に連系すると共に、前記太陽光発電部あるいは前記商用電源から住宅内の各電気機器に電力供給する電力を管理する電力管理部とを備え、
前記電力管理部は、
前記電力を計測して電力情報を得る計測部と、
前記電力情報を表示する表示部と、前記電力情報の変化をユーザーに通知する通知部とを備えた太陽光発電システム用モニター装置とを含む太陽光発電システム。
【請求項９】
前記太陽光発電システム用モニター装置は、
売買電力の状態変化の閾値を設定する売買電力閾値設定手段と、設定された閾値を元に売買電力の閾値を超えたことを判定する売買電力閾値判定手段と、前記売買電力が売電か買電か及び程度を示す売買電力ＬＥＤ表示手段と、
発電電力の状態変化の閾値を設定する発電電力閾値設定手段、設定された閾値を元に発電電力の閾値を超えたことを判定する発電電力閾値判定手段、前記太陽光発電部が発電しているか及び程度を示す発電電力ＬＥＤ表示手段と、
消費電力の状態変化の閾値を設定する消費電力閾値設定手段と、設定された閾値を元に消費電力の閾値を超えたことを判定する消費電力閾値判定手段と、前記ユーザーが電力を消費しているか及び程度を示す消費電力ＬＥＤ表示手段と、
前記売買電力、前記発電電力、および前記消費電力の状態が変化したことを通知するための音声通知手段とを有する請求項８に記載の太陽光発電システム。
【手続補正書】
【提出日】平成29年3月9日(2017.3.9)
【手続補正１】
【補正対象書類名】特許請求の範囲
【補正対象項目名】全文
【補正方法】変更
【補正の内容】
【特許請求の範囲】
【請求項１】
溶媒中で繊維状バインダーと中空粒子とを混合し、混合分散液を調製する工程、
前記混合分散液に、さらに吸着材を混合して、材料スラリーを調製する工程、
前記材料スラリーを用いて湿式成形により前駆体を作製する工程、および、
前記前駆体から溶媒を除去し成形吸着体を作製する工程を含むことを特徴とする成形吸着体の製造方法。
【請求項２】
前記中空粒子の体積平均粒子径が、２５μｍ〜２５０μｍである請求項１に記載の成形吸着体の製造方法。
【請求項３】
前記中空粒子のカサ密度が、０．１５ｇ／ｃｍ3〜０．６０ｇ／ｃｍ3である請求項１または２に記載の成形吸着体の製造方法。
【請求項４】
前記材料スラリーの固形分中の中空粒子の含有率が、０．５質量％〜５０質量％である請求項１〜３のいずれか一項に記載の成形吸着体の製造方法。
【請求項５】
前記材料スラリーの固形分濃度が、０．５質量％〜１０質量％である請求項１〜４のいずれか一項に記載の成形吸着体の製造方法。
【手続補正書】
【提出日】平成29年2月28日(2017.2.28)
【手続補正１】
【補正対象書類名】特許請求の範囲
【補正対象項目名】全文
【補正方法】変更
【補正の内容】
【特許請求の範囲】
【請求項１】
凝集剤が注入された、懸濁物質を含む原液を攪拌する高速攪拌装置であって、
駆動源により回転される回転軸と、
前記回転軸に連結された攪拌羽根と、
前記回転軸と同軸上に配置され、前記攪拌羽根を収容する円筒部材と、
前記円筒部材の内周面に固定された複数のバッフルと、を備え、
前記複数のバッフルは、前記攪拌羽根の周囲に配置されていることを特徴とする高速攪拌装置。
【請求項２】
前記回転軸の長手方向に沿って並び、前記攪拌羽根を挟むように配置された先端側円板および後端側円板をさらに備えたことを特徴とする請求項１に記載の高速攪拌装置。
【請求項３】
前記複数のバッフルのそれぞれは、多角形状の横断面を有していることを特徴とする請求項１または２に記載の高速攪拌装置。
【請求項４】
前記懸濁物質を含む原液を前記円筒部材に導入する流入配管と、当該原液を前記円筒部材から排出する排出配管とが前記円筒部材の側面に接続され、
前記円筒部材内を通過する原液の流れ方向は、前記回転軸に対して垂直であることを特徴とする請求項１乃至３のいずれか一項に記載の高速攪拌装置。
【請求項５】
請求項１乃至４のいずれか一項に記載の高速攪拌装置に、凝集剤が注入された、懸濁物質を含む原液を供給し、
前記高速攪拌装置で、前記原液と前記凝集剤とを攪拌することにより、前記原液と前記凝集剤とを混合させ、
前記凝集剤が混合された原液を凝集混和槽に供給し、
前記凝集混和槽で、凝集剤を再添加して前記原液を攪拌することにより、凝集フロックを形成することを特徴とする凝集攪拌方法。
【手続補正２】
【補正対象書類名】明細書
【補正対象項目名】００１１
【補正方法】変更
【補正の内容】
【００１１】
本発明の好ましい態様は、前記回転軸の長手方向に沿って並び、前記攪拌羽根を挟むように配置された先端側円板および後端側円板をさらに備えたことを特徴とする。
本発明の好ましい態様は、前記複数のバッフルのそれぞれは、多角形状の横断面を有していることを特徴とする。
本発明の一参考例は、前記複数のバッフルのそれぞれは、前記回転軸の長手方向に沿って並ぶ分割体から構成されていることを特徴とする。
【手続補正３】
【補正対象書類名】明細書
【補正対象項目名】００１２
【補正方法】変更
【補正の内容】
【００１２】
本発明の一参考例は、前記円筒部材の開口端部を閉じる蓋部材をさらに備え、前記蓋部材は、前記円筒部材に着脱自在に取り付けられることを特徴とする。これにより、高速攪拌装置の開放点検が容易となる。
本発明の一参考例は、前記円筒部材の開口端部を閉じる蓋部材をさらに備え、前記蓋部材に前記先端側円板が取り付けられていることを特徴とする。
本発明の一参考例は、前記懸濁物質を含む原液を前記円筒部材に導入する流入配管と、当該原液を前記円筒部材から排出する排出配管とが前記円筒部材の側面に接続され、前記流入配管が延びる方向に対する、前記排出配管が延びる方向の角度は、９０°以上２７０°以下であることを特徴とする。
本発明の好ましい態様は、前記懸濁物質を含む原液を前記円筒部材に導入する流入配管と、当該原液を前記円筒部材から排出する排出配管とが前記円筒部材の側面に接続され、前記円筒部材内を通過する原液の流れ方向は、前記回転軸に対して垂直であることを特徴とする。
【手続補正書】
【提出日】平成29年6月6日(2017.6.6)
【手続補正１】
【補正対象書類名】明細書
【補正対象項目名】０００７
【補正方法】変更
【補正の内容】
【０００７】
上記目的を達成するために、本発明の第１の態様は、オキシ水酸化鉄粒子と銅酸化物粒子とから構成され、前記オキシ水酸化鉄粒子が前記銅酸化物粒子の表面及び内部に結合した形状をなすことを特徴とする光触媒複合体であることを要旨とする。本発明の第２の態様は、オキシ水酸化鉄粒子を分散させた溶液中で銅酸化物粒子を析出させる工程を含み、前記オキシ水酸化鉄粒子が前記銅酸化物粒子の表面及び内部に結合した形状の光触媒複合体を形成することを特徴とする光触媒複合体の製造方法であることを要旨とする。
【手続補正２】
【補正対象書類名】明細書
【補正対象項目名】０００８
【補正方法】変更
【補正の内容】
【０００８】
つまり、本発明は次のとおりである。
（１）  オキシ水酸化鉄粒子と銅酸化物粒子とから構成され、記オキシ水酸化鉄粒子が前記銅酸化物粒子の表面及び内部に結合した形状をなすことを特徴とする光触媒複合体。
（２）  前記オキシ水酸化鉄が、ゲーサイト（α−ＦｅＯＯＨ）であることを特徴とする（１）に記載の光触媒複合体。
（３）  前記銅酸化物が、亜酸化銅（Ｃｕ２Ｏ）又は酸化銅（ＣｕＯ）の少なくとも一方を含むことを特徴とする（１）又は（２）に記載の光触媒複合体。
（４）  オキシ水酸化鉄粒子を分散させた溶液中で銅酸化物粒子を析出させる工程を含み、前記オキシ水酸化鉄粒子が前記銅酸化物粒子の表面及び内部に結合した形状の光触媒複合体を形成することを特徴とする光触媒複合体の製造方法。
【手続補正書】
【提出日】平成29年5月19日(2017.5.19)
【手続補正１】
【補正対象書類名】明細書
【補正対象項目名】００８３
【補正方法】変更
【補正の内容】
【００８３】
また、判定部３０８ａは、試し給紙した手差し給紙対象の媒体（用紙束）ＴＧは自動給紙することが可能であるか否かを判定する。より具体的には、判定部３０８ａは、試し給紙制御部３０８ｃの制御の下、搬出ローラＲの駆動が開始されて所定時間ＴＭ（ｓ）経過する以前に、媒体検知センサＣ１が媒体を検知した場合に、自動給紙することが可能であると判定する。一方、判定部３０８ａは、媒体検知センサＣ１が媒体を検知しない場合に、自動給紙することはできないと判定する。ここで、所定時間ＴＭ（ｓ）は、搬出ローラＲの外周長（ｍｍ）［あるいは、搬出ローラＲの一回転当たりにおける搬出対象の媒体の移動量（ｍｍ）］をＺ、試し給紙時の搬出ローラＲの回転数（ｒｐｓ）をＬＳとすると、ＴＭ≧Ｌ／（Ｚ×ＬＳ）を満たすように定義されている。なお、式中のＬは、図９に示されている所定距離Ｌ（ｍｍ）である。
【手続補正２】
【補正対象書類名】明細書
【補正対象項目名】００９３
【補正方法】変更
【補正の内容】
【００９３】
給紙制御部３０８ｄは、手差し給紙部３０４を制御し、自動給紙することが可能と判定された媒体（用紙束）ＴＧを給紙トレイ３６から搬出させる。この際、搬出ローラＲの回転数はＨＳ（ｒｐｓ）に制御される。また、給紙制御部３０８ｄは、手差し給紙部３０４を制御し、給紙トレイ３６に一時的に待機させている印刷済みの表紙用紙Ｐ１を搬出させる。
【手続補正３】
【補正対象書類名】明細書
【補正対象項目名】００９６
【補正方法】変更
【補正の内容】
【００９６】
機構制御部３０８ｆは、整合部３０５を制御し、整合部３０５から本文用紙束ＰＳを送り出させ、くるみ綴じ機構３０６を制御して、給紙トレイ３６から送り出された表紙用紙Ｐ１と整合部３０５から送り出させた本文用紙束ＰＳとに基づいて、冊子Ｂを作製させる。そして、機構制御部３０８ｆは、くるみ綴じ機構３０６を制御して、作製させた冊子Ｂを排出部３０７へ落下させる。
【手続補正４】
【補正対象書類名】明細書
【補正対象項目名】００９７
【補正方法】変更
【補正の内容】
【００９７】
搬出制御部３０８ｇは、排出部３０７を制御し、くるみ綴じ機構３０６から落下してきた冊子Ｂを受取台６２へ搬送させ、作製された冊子Ｂを筐体３１の外へ排出させる。
【手続補正５】
【補正対象書類名】明細書
【補正対象項目名】０１２６
【補正方法】変更
【補正の内容】
【０１２６】
そして、判定部３０８ａは、試し給紙の結果、自動給紙することが可能であると判定された媒体（用紙束）ＴＧが、給紙制御部３０８ｄの制御の下、給紙トレイ３６から給紙されたか否かを判定する（ステップＳ１１４）。判定部３０８ａにより、まだ給紙トレイ３６から給紙されていないと判定された場合には（ステップＳ１１４；ＮＯ）、処理は、ステップＳ１１４の処理を繰り返して、自動給紙することが可能であると判定された媒体（用紙束）ＴＧが、給紙トレイ３６から給紙されるのを待つ。一方、判定部３０８ａにより、給紙トレイ３６から給紙されたと判定された場合には（ステップＳ１１４；ＹＥＳ）、処理は、ステップＳ１１２の処理へと進む。
【手続補正６】
【補正対象書類名】明細書
【補正対象項目名】０１６９
【補正方法】変更
【補正の内容】
【０１６９】
上記実施形態によれば、くるみ製本装置３０は、印刷装置２０から搬送されてくる印刷済みの本文用紙Ｐ２を格納し、本文用紙束ＰＳを形成する整合部３０５と、手差し給紙対象を収納し、給紙制御部３０８ｄの制御の下、収納されている手差し給紙対象を搬出する手差し給紙部３０４と、搬送制御部３０８ｂの制御の下、搬出された手差し給紙対象を、整合部３０５へ搬送する搬送部３０３と、手差し給紙部３０４を制御して、収納されている手差し給紙対象を搬出させる給紙制御部３０８ｄと、搬送部３０３を制御して、搬出された手差し給紙対象を、整合部３０５へ搬送させる搬送制御部３０８ｂと、を備えている。そして、給紙制御部３０８ｄは、搬送制御部３０８ｂと連係して、手差し給紙部３０４と搬送部３０３を制御して、印刷ジョブにより指定されたページの直前のページを含む本文用紙Ｐ２が整合部３０５に格納されてから、次の本文用紙Ｐ２が整合部３０５に格納される前までの間に、手差し給紙対象を整合部３０５へ搬送させる。このようにすることで、ユーザが所望するタイミングで作製する冊子の一部を手差し給紙することが可能となる。
【手続補正７】
【補正対象書類名】明細書
【補正対象項目名】０１７０
【補正方法】変更
【補正の内容】
【０１７０】
また、上記実施形態によれば、くるみ製本装置３０は、媒体（用紙束）ＴＧが手差し給紙部３０４の給紙トレイ３６から搬出され、整合部３０５のスタックトレイ３４へ搬送される前に、手差し給紙部３０４を制御して、媒体（用紙束）ＴＧの試し給紙を実行させる試し給紙制御部３０８ｃと、試し給紙の結果、媒体検知センサＣ１が媒体（用紙束）ＴＧを検知するか否かに基づいて、給紙トレイ３６から媒体（用紙束）ＴＧを自動給紙することが可能か否かを判定する判定部３０８ａと、を備えている。そして、給紙制御部３０８ｄは、媒体（用紙束）ＴＧを自動給紙することが可能であると判定された場合に、搬送制御部３０８ｂと連係して、手差し給紙部３０４と搬出部３０３を制御して、印刷ジョブにより指定されたページの直前のページを含む本文用紙Ｐ２が整合部３０５に格納されてから、次の本文用紙Ｐ２が整合部３０５に格納される前までの間に、手差し給紙対象を整合部３０５へ搬送させる。このようにすることで、媒体（用紙束）ＴＧの自動給紙の失敗を未然に防止することが可能となる。
【手続補正書】
【提出日】平成29年4月14日(2017.4.14)
【手続補正１】
【補正対象書類名】特許請求の範囲
【補正対象項目名】全文
【補正方法】変更
【補正の内容】
【特許請求の範囲】
【請求項１】
先端側から円筒状の印刷用版が嵌め込まれて装着される版装着面を有する版胴であって
、
前記先端側の端部にフロントストッパーが設けられ、
前記フロントストッパーは、少なくともその一部が前記版装着面より径方向外側に突出するように位置する突出姿勢と、その全体が前記版装着面よりも径方向内側に位置する退避姿勢と、に切り替え可能に構成されることを特徴とする版胴。
【請求項２】
前記版胴の外周面に径方向内外へ移動可能に設けられ、前記印刷用版を前記版装着面に密着固定させる版固定部材を有し、
前記フロントストッパーは、前記版固定部材の径方向外側への移動に連動して、姿勢が切り替わることを特徴とする請求項１に記載の版胴。
【請求項３】
前記フロントストッパーは、前記版固定部材を移動動作させる回転軸の回転動作に連動して姿勢が切り替わることを特徴とする請求項２に記載の版胴。
【請求項４】
前記フロントストッパーは、前記突出姿勢での固定を可能にする固定手段を有することを特徴とする請求項１〜３のいずれかに記載の版胴。
【請求項５】
前記先端側と対向する基端側に設けられるエンドストッパーを有することを特徴とする請求項１〜４のいずれかに記載の版胴。
【請求項６】
請求項１〜５のいずれかに記載の版胴を備えることを特徴とする版装着装置。
【手続補正書】
【提出日】平成29年6月29日(2017.6.29)
【手続補正１】
【補正対象書類名】特許請求の範囲
【補正対象項目名】全文
【補正方法】変更
【補正の内容】
【特許請求の範囲】
【請求項１】
指で掴んで操作可能な複数の操作対象物と、
前記操作対象物を配置可能な盤と、
を備え、
前記操作対象物または前記盤のいずれかに、前記操作対象物を操作する順番がランダムに表示されている、器具。
【請求項２】
前記盤に前記操作対象物を挿入可能な穴が複数設けられており、
前記穴毎に、前記操作対象物を挿入する順番が表示されている、
請求項１に記載の器具。
【請求項３】
前記操作対象物は第１面および第２面を有し、
第１面、第２面のいずれを表にしても前記盤に配置可能であり、
第１面または第２面のいずれかに、前記操作対象物を操作する順番として当該操作対象物を裏返す順番が表示されている、
請求項１に記載の器具。
【請求項４】
器具と、測定部とを備え、
前記器具は、
指で掴んで操作可能な複数の操作対象物と、
前記操作対象物を配置可能な盤と、
を備え、
前記操作対象物または前記盤のいずれかに、前記操作対象物を操作する順番がランダムに表示されており、
前記測定部は、前記操作対象物を前記順番に従って操作するのに要する時間を測定する、認知機能評価システム。
【請求項５】
前記測定部の測定にて得られた時間が所定の閾値以上か否かを判定する判定部を備える、請求項４に記載の認知機能評価システム。
【請求項６】
器具と、閾値決定部とを備え、
前記器具は、
指で掴んで操作可能な複数の操作対象物と、
前記操作対象物を配置可能な盤と、
を備え、
前記操作対象物または前記盤のいずれかに、前記操作対象物を操作する順番がランダムに表示されており、
前記閾値決定部は、前記操作対象物を前記順番に従って操作するのに要する時間の測定値と、操作者が２つのグループの何れに属するかを示す情報とが、複数の操作者のそれぞれについて対応付けられた情報における感度および特異度に基づいて閾値を決定する、閾値決定システム。
【請求項７】
指で掴んで操作可能な複数の操作対象物を、ランダムに表示された順番に従って操作するのに要する時間を測定する測定ステップを有する認知機能評価方法。
【請求項８】
指で掴んで操作可能な複数の操作対象物を、ランダムに表示された順番に従って操作するのに要する時間を測定する測定ステップと、
測定にて得られた時間が所定の閾値以上か否かを判定する判定ステップと、
を有する認知機能評価方法。
【請求項９】
指で掴んで操作可能な複数の操作対象物を、ランダムに表示された順番に従って操作するのに要する時間の測定値と、操作者が２つのグループの何れに属するかを示す情報とが、複数の操作者のそれぞれについて対応付けられた情報における感度および特異度に基づいて閾値を決定する閾値決定ステップを有する閾値決定方法。
【手続補正２】
【補正対象書類名】明細書
【補正対象項目名】０００６
【補正方法】変更
【補正の内容】
【０００６】
本発明の第１の態様によれば、器具は、指で掴んで操作可能な複数の操作対象物と、前記操作対象物を配置可能な盤と、を備え、前記操作対象物または前記盤のいずれかに、前記操作対象物を操作する順番がランダムに表示されている。
【手続補正３】
【補正対象書類名】明細書
【補正対象項目名】０００８
【補正方法】変更
【補正の内容】
【０００８】
前記操作対象物は第１面および第２面を有し、第１面、第２面のいずれを表にしても前記盤に配置可能であり、第１面または第２面のいずれかに、前記操作対象物を操作する順番として当該操作対象物を裏返す順番が表示されているようにしてもよい。
【手続補正４】
【補正対象書類名】明細書
【補正対象項目名】０００９
【補正方法】変更
【補正の内容】
【０００９】
本発明の第２の態様によれば、認知機能評価システムは、器具と、測定部とを備え、前記器具は、指で掴んで操作可能な複数の操作対象物と、前記操作対象物を配置可能な盤と、を備え、前記操作対象物または前記盤のいずれかに、前記操作対象物を操作する順番がランダムに表示されており、前記測定部は、前記操作対象物を前記順番に従って操作するのに要する時間を測定する。
【手続補正５】
【補正対象書類名】明細書
【補正対象項目名】００１１
【補正方法】変更
【補正の内容】
【００１１】
本発明の第３の態様によれば、閾値決定システムは、器具と、閾値決定部とを備え、前記器具は、指で掴んで操作可能な複数の操作対象物と、前記操作対象物を配置可能な盤と、を備え、前記操作対象物または前記盤のいずれかに、前記操作対象物を操作する順番がランダムに表示されており、前記閾値決定部は、前記操作対象物を前記順番に従って操作するのに要する時間の測定値と、操作者が２つのグループの何れに属するかを示す情報とが、複数の操作者のそれぞれについて対応付けられた情報における感度および特異度に基づいて閾値を決定する。
【手続補正６】
【補正対象書類名】明細書
【補正対象項目名】００１２
【補正方法】変更
【補正の内容】
【００１２】
本発明の第４の態様によれば、認知機能評価方法は、指で掴んで操作可能な複数の操作対象物を、ランダムに表示された順番に従って操作するのに要する時間を測定する測定ステップを有する。
【手続補正７】
【補正対象書類名】明細書
【補正対象項目名】００１３
【補正方法】変更
【補正の内容】
【００１３】
本発明の第５の態様によれば、認知機能評価方法は、指で掴んで操作可能な複数の操作対象物を、ランダムに表示された順番に従って操作するのに要する時間を測定する測定ステップと、測定にて得られた時間が所定の閾値以上か否かを判定する判定ステップと、を有する。
【手続補正８】
【補正対象書類名】明細書
【補正対象項目名】００１４
【補正方法】変更
【補正の内容】
【００１４】
本発明の第６の態様によれば、閾値決定方法は、指で掴んで操作可能な複数の操作対象物を、ランダムに表示された順番に従って操作するのに要する時間の測定値と、操作者が２つのグループの何れに属するかを示す情報とが、複数の操作者のそれぞれについて対応付けられた情報における感度および特異度に基づいて閾値を決定する閾値決定ステップを有する。
【手続補正書】
【提出日】平成29年6月23日(2017.6.23)
【手続補正１】
【補正対象書類名】特許請求の範囲
【補正対象項目名】全文
【補正方法】変更
【補正の内容】
【特許請求の範囲】
【請求項１】
一又は複数のプロセッサと、ストレージと、を備え、
当該ストレージは、所定のユーザに割り当てられた第１デッキ及び第２デッキの各々に
含まれる有限個のゲームアイテムに関する情報を記憶し、
当該一又は複数のプロセッサは、所定のコンピュータ読み取り可能な命令を実行するこ
とにより、
所定のユーザからの取得要求に応じて、前記第１デッキに含まれるゲームアイテムの中
から、第１当選数のゲームアイテムを第１当選ゲームアイテムとして選択し、
前記第１当選ゲームアイテムとして選択されたゲームアイテムを前記第１デッキから削
除し、
前記取得要求に応じて、前記第２デッキに含まれるゲームアイテムの中から、第２当選
数のゲームアイテムを第２当選ゲームアイテムとして選択し、
前記第２当選ゲームアイテムとして選択されたゲームアイテムを前記第２デッキから削
除し、
前記第１当選ゲームアイテム及び前記第２当選ゲームアイテムを前記所定のユーザに与
える、
ように構成されることを特徴とするシステム。
【手続補正書】
【提出日】平成29年6月15日(2017.6.15)
【手続補正１】
【補正対象書類名】特許請求の範囲
【補正対象項目名】全文
【補正方法】変更
【補正の内容】
【特許請求の範囲】
【請求項１】
被検眼に照射された測定光と参照光によるＯＣＴ信号を検出し、前記ＯＣＴ信号を処理することで被検眼の断層画像データを取得する光コヒーレンストモグラフィ装置であって、
被検眼上の同一位置に関して時間的に異なる複数のＯＣＴ信号を取得するための取得手段と、
前記取得手段によって取得された前記複数のＯＣＴ信号を処理して前記被検眼におけるモーションコントラストデータを取得する演算処理手段と、
前記モーションコントラストデータを処理し、血管の位置情報を取得し、前記位置情報に基づいて、血管に関する解析情報を取得する解析処理手段と、
を備えることを特徴とする光コヒーレンストモグラフィ装置。
【請求項２】
請求項１の光コヒーレンストモグラフィ装置において、  
前記取得手段は、前記被検眼上の異なる複数の横断位置にて測定光を走査させ、ＸＹ方向に関する三次元機能ＯＣＴ画像データを取得するためのＯＣＴ信号を取得し、
前記演算処理手段は、前記被検眼上の複数の位置において取得された前記複数のＯＣＴ信号を処理し、前記被検眼における前記モーションコントラストデータとして、三次元機能ＯＣＴ画像データを取得し、
前記解析処理手段は、前記解析情報として、前記三次元機能ＯＣＴ画像データを処理して、前記被検眼の位置毎に、血管に関する前記解析情報を取得するとともに、前記三次元機能ＯＣＴ画像データに基づいて、前記被検物の所定の深さ領域における正面画像データであるＯＣＴ機能正面画像データを取得し、前記ＯＣＴ機能正面画像データと、前記解析情報と、を比較可能に出力することを特徴とする光コヒーレンストモグラフィ装置。
【請求項３】
請求項１又は２の光コヒーレンストモグラフィ装置において、  
前記取得手段は、前記被検眼上の異なる複数の横断位置にて測定光を走査させ、ＸＹ方向に関する三次元機能ＯＣＴ画像データを取得するためのＯＣＴ信号を取得し、
前記演算処理手段は、前記被検眼上の複数の位置において取得された前記複数のＯＣＴ信号を処理し、前記被検眼における前記モーションコントラストデータとして、三次元機能ＯＣＴ画像データを取得し、
前記解析処理手段は、前記解析情報として、前記三次元機能ＯＣＴ画像データを処理して、前記被検眼の位置毎に、血管に関する前記解析情報を取得するとともに、前記三次元機能ＯＣＴ画像データと、前記解析情報と、を比較可能に表示することを特徴とする光コヒーレンストモグラフィ装置。
【請求項４】
請求項１〜３のいずれかの光コヒーレンストモグラフィ装置において、
前記解析処理手段は、前記三次元機能ＯＣＴ画像データを取得するために取得されたＯＣＴ信号より層情報を検出し、前記被検眼の網膜層の層厚情報に関する二次元的な分布を示す解析マップを取得し、
前記解析情報と、前記解析マップとを比較可能に出力することを特徴とする光コヒーレンストモグラフィ装置。
【請求項５】
被検眼に照射された測定光と参照光によるＯＣＴ信号を検出し、前記ＯＣＴ信号を処理することで被検眼の断層画像データを取得する光コヒーレンストモグラフィ演算方法であって、
被検眼上の同一位置に関して時間的に異なる複数のＯＣＴ信号を取得するための取得ステップと、
前記取得ステップによって取得された前記複数のＯＣＴ信号を処理して前記被検眼におけるモーションコントラストデータを取得する演算処理ステップと、
前記モーションコントラストデータを処理し、血管の位置情報を取得し、前記位置情報に基づいて、血管に関する解析情報を取得する解析処理ステップと、
を備えることを特徴とする光コヒーレンストモグラフィ演算方法。
【請求項６】
被検眼に照射された測定光と参照光によるＯＣＴ信号を検出し、前記ＯＣＴ信号を処理することで被検眼の断層画像データを取得する光コヒーレンストモグラフィ装置の動作を制御する制御装置において実行される光コヒーレンストモグラフィ演算プログラムであって、
前記制御装置のプロセッサによって実行されることで、
被検眼上の同一位置に関して時間的に異なる複数のＯＣＴ信号を取得するための取得ステップと、
前記取得ステップによって取得された前記複数のＯＣＴ信号を処理して前記被検眼におけるモーションコントラストデータを取得する演算処理ステップと、
前記モーションコントラストデータを処理し、血管の位置情報を取得し、前記位置情報に基づいて、血管に関する解析情報を取得する解析処理ステップと、
を前記光コヒーレンストモグラフィ装置に実行させることを特徴とする光コヒーレンストモグラフィ演算プログラム。
【手続補正書】
【提出日】平成29年6月15日(2017.6.15)
【手続補正１】
【補正対象書類名】特許請求の範囲
【補正対象項目名】全文
【補正方法】変更
【補正の内容】
【特許請求の範囲】
【請求項１】
被検物に照射された測定光と参照光によるＯＣＴ信号を検出し、前記ＯＣＴ信号を処理することで被検物の断層画像データを取得する光コヒーレンストモグラフィ装置であって、
被検物上の同一位置に関して時間的に異なる複数のＯＣＴ信号を取得するための取得手段と、
前記取得手段によって取得された前記複数のＯＣＴ信号を処理して前記被検物におけるモーションコントラストデータを取得する演算処理手段と、を備え、
前記取得手段は、前記被検物上における第１位置にて前記複数のＯＣＴ信号を取得した後、前記第１位置とは異なる第２位置にて前記複数のＯＣＴ信号を取得し、
前記演算処理手段は、前記取得手段による前記第１位置又は前記第２位置の少なくとも一方での前記複数のＯＣＴ信号の取得中において、前記第１位置において取得された前記複数のＯＣＴ信号を処理し、前記第１位置におけるモーションコントラストデータを取得することを特徴とする光コヒーレンストモグラフィ装置。
【請求項２】
請求項１の光コヒーレンストモグラフィ装置において、
前記第１位置は、第１横断位置であって、
前記第２位置は、第２横断位置であって、
前記演算処理手段は、前記第１横断位置又は前記第２横断位置の少なくとも一方の位置での前記複数のＯＣＴ信号の取得中において、前記第１横断位置において検出された前記複数のＯＣＴ信号を処理し、前記第１横断位置におけるモーションコントラストデータを取得することを特徴とする光コヒーレンストモグラフィ装置。
【請求項３】
請求項１の光コヒーレンストモグラフィにおいて、
前記取得手段は、被検物上の異なる複数の横断位置にて測定光を走査させ、ＸＹ方向に関する三次元モーションコントラストデータを取得するためのＯＣＴ信号を取得し、
前記演算処理手段は、前記複数の横断位置でのＯＣＴ信号を処理し、前記三次元モーションコントラストデータを取得し、
前記解析処理手段は、前記演算処理手段によって、前記複数の横断位置におけるモーションコントラストデータが順に取得されるとともに、逐次、各横断位置のモーションコントラストデータを表示手段に表示するよって、リアルタイムの三次元モーションコントラストデータを表示手段に表示することを特徴とする光コヒーレンストモグラフィ装置。
【請求項４】
請求項１の光コヒーレンストモグラフィにおいて、
前記取得手段は、被検物上の異なる複数の横断位置にて測定光を走査させ、ＸＹ方向に関する三次元モーションコントラストデータを取得するためのＯＣＴ信号を取得し、
前記演算処理手段は、前記複数の横断位置でのＯＣＴ信号を処理し、前記三次元モーションコントラストデータを取得し、
前記解析処理手段は、前記三次元モーションコントラストデータが順に取得されるとともに、逐次、前記三次元モーションコントラストデータに基づいて、前記被検物の所定の深さ領域における正面画像データであるＯＣＴ機能正面画像データを取得し、各横断位置のＯＣＴ機能正面画像データを表示手段に表示するよって、リアルタイムのＯＣＴ機能正面画像データを表示手段に表示することを特徴とする光コヒーレンストモグラフィ装置。
【請求項５】
被検物に照射された測定光と参照光によるＯＣＴ信号を検出し、前記ＯＣＴ信号を処理することで被検物の断層画像を取得する光コヒーレンストモグラフィ装置において実行される光コヒーレンストモグラフィ演算方法であって、
被検物上の同一位置に関して時間的に異なる複数のＯＣＴ信号を取得するための取得ステップであって、前記被検物上における第１位置にて前記複数のＯＣＴ信号を取得した後、前記第１位置とは異なる第２位置にて前記複数のＯＣＴ信号を取得する取得ステップと、
前記取得ステップによって取得された前記複数のＯＣＴ信号を処理して前記被検物におけるモーションコントラストデータを取得する演算処理ステップであって、前記取得ステップによる前記第１位置又は前記第２位置の少なくとも一方での前記複数のＯＣＴ信号の取得中において、前記第１位置において取得された前記複数のＯＣＴ信号を処理し、前記第１位置におけるモーションコントラストデータを取得する演算処理ステップと、
を備えることを特徴とする光コヒーレンストモグラフィ演算方法。
【請求項６】
被検物に照射された測定光と参照光によるＯＣＴ信号を検出し、前記ＯＣＴ信号を処理することで被検物の断層画像を取得する光コヒーレンストモグラフィ装置の動作を制御する制御装置において実行される光コヒーレンストモグラフィ演算プログラムであって、
前記制御装置のプロセッサによって実行されることで、
被検物上の同一位置に関して時間的に異なる複数のＯＣＴ信号を取得するための取得ステップであって、前記被検物上における第１位置にて前記複数のＯＣＴ信号を取得した後、前記第１位置とは異なる第２位置にて前記複数のＯＣＴ信号を取得する取得ステップと、
前記取得ステップによって取得された前記複数のＯＣＴ信号を処理して前記被検物におけるモーションコントラストデータを取得する演算処理ステップであって、前記取得ステップによる前記第１位置又は前記第２位置の少なくとも一方での前記複数のＯＣＴ信号の取得中において、前記第１位置において取得された前記複数のＯＣＴ信号を処理し、前記第１位置におけるモーションコントラストデータを取得する演算処理ステップと、
を前記光コヒーレンストモグラフィ装置に実行させることを特徴とする光コヒーレンストモグラフィ演算プログラム。
【手続補正書】
【提出日】平成29年6月15日(2017.6.15)
【手続補正１】
【補正対象書類名】特許請求の範囲
【補正対象項目名】全文
【補正方法】変更
【補正の内容】
【特許請求の範囲】
【請求項１】
光源から発せられた測定光を被検物上で二次元的に走査し、被検物に照射された測定光と参照光によるＯＣＴ信号を検出し、前記ＯＣＴ信号を処理することで被検物の断層画像データを取得する光コヒーレンストモグラフィ装置であって、
前記被検物上の同一位置に関して時間的に異なる複数のＯＣＴ信号を前記被検物上の複数の位置において取得するための取得手段と、
前記取得手段によって、前記被検物上の複数の位置において取得された前記複数のＯＣＴ信号を処理し、前記被検物における三次元機能ＯＣＴ画像データを取得するとともに、前記被検物上の複数の位置において取得された前記複数のＯＣＴ信号において、複数の位置のそれぞれの位置で少なくとも１つ以上のＯＣＴ信号を処理して、前記被検物の基準正面画像データを取得する演算処理手段と、
被検物の正面画像データを取得するための正面画像取得手段によって取得された正面画像データと、前記基準正面画像データと、のマッチング処理を行い、前記正面画像データと前記三次元機能ＯＣＴ画像データとを対応付ける画像処理手段と、
を備えることを特徴する光コヒーレンストモグラフィ装置。
【請求項２】
請求項１の光コヒーレンストモグラフィ装置において、
前記画像処理手段は、前記正面画像データと前記三次元機能ＯＣＴ画像データとを対応付けることによって、前記正面画像データ上に前記三次元機能ＯＣＴ画像データを示す表示を重畳することを特徴とする光コヒーレンストモグラフィ装置。
【請求項３】
請求項１又は２の光コヒーレンストモグラフィ装置において、
前記画像処理手段は、前記三次元機能ＯＣＴ画像データに基づいて、前記被検物の所定の深さ領域における正面画像データであるＯＣＴ機能正面画像データを取得し、前記正面画像データと前記三次元機能ＯＣＴ画像データとを対応付けることによって、前記正面画像データ上に前記ＯＣＴ機能正面画像データを示す表示を重畳することを特徴とする光コヒーレンストモグラフィ装置。
【請求項４】
請求項１〜３のいずれかの光コヒーレンストモグラフィ装置において、
前記基準正面画像データは、前記被検物上の複数の位置において取得された前記複数のＯＣＴ信号の内の少なくとも１つのＯＣＴ信号に基づいて取得されたＯＣＴ正面画像データであることを特徴する光コヒーレンストモグラフィ装置。
【請求項５】
光源から発せられた測定光を被検物上で二次元的に走査し、被検物に照射された測定光と参照光によるＯＣＴ信号を検出し、前記ＯＣＴ信号を処理することで被検物の断層画像を取得する光コヒーレンストモグラフィ装置において実行される光コヒーレンストモグラフィ演算方法であって、
被検物の正面画像データを取得するための正面画像取得ステップと、
前記被検物上の同一位置に関して時間的に異なる複数のＯＣＴ信号を前記被検物上の複数の位置において取得するための取得ステップと、
前記取得ステップによって、前記被検物上の複数の位置において取得された前記複数のＯＣＴ信号を処理し、前記被検物における三次元機能ＯＣＴ画像データを取得するとともに、前記被検物上の複数の位置において取得された前記複数のＯＣＴ信号において、複数の位置のそれぞれの位置で少なくとも１つ以上のＯＣＴ信号を処理して、前記被検物の基準正面画像データを取得する演算処理ステップと、
前記正面画像データと前記基準正面画像データとの位置ずれ量を検出し、前記位置ずれ量に基づいて、前記正面画像データと前記三次元機能ＯＣＴ画像データとを対応付ける画像処理ステップと、
を備えることを特徴とする光コヒーレンストモグラフィ演算方法。
【請求項６】
光源から発せられた測定光を被検物上で二次元的に走査し、被検物に照射された測定光と参照光によるＯＣＴ信号を検出し、前記ＯＣＴ信号を処理することで被検物の断層画像を取得する光コヒーレンストモグラフィ装置の動作を制御する制御装置において実行される光コヒーレンストモグラフィ演算プログラムであって、
前記制御装置のプロセッサによって実行されることで、
被検物の正面画像データを取得するための正面画像取得ステップと、
前記被検物上の同一位置に関して時間的に異なる複数のＯＣＴ信号を前記被検物上の複数の位置において取得するための取得ステップと、
前記取得ステップによって、前記被検物上の複数の位置において取得された前記複数のＯＣＴ信号を処理し、前記被検物における三次元機能ＯＣＴ画像データを取得するとともに、前記被検物上の複数の位置において取得された前記複数のＯＣＴ信号において、複数の位置のそれぞれの位置で少なくとも１つ以上のＯＣＴ信号を処理して、前記被検物の基準正面画像データを取得する演算処理ステップと、
前記正面画像データと前記基準正面画像データとの位置ずれ量を検出し、前記位置ずれ量に基づいて、前記正面画像データと前記三次元機能ＯＣＴ画像データとを対応付ける画像処理ステップと、
を前記光コヒーレンストモグラフィ装置に実行させることを特徴とする光コヒーレンストモグラフィ演算プログラム。
【手続補正書】
【提出日】平成29年6月23日(2017.6.23)
【手続補正１】
【補正対象書類名】特許請求の範囲
【補正対象項目名】全文
【補正方法】変更
【補正の内容】
【特許請求の範囲】
【請求項１】
ヒト人工多能性幹細胞（ｉＰＳ細胞）から成る胚様体に複数の外来遺伝子を発現させる方法であって、
１）エピソーマルベクターを用いて、ｉＰＳ細胞に外来遺伝子を非リポソーム型カチオン性脂質トランスフェクション試薬を用いてトランスフェクションする工程、
２）外来遺伝子がトランスフェクションされたｉＰＳ細胞を、薬剤選択マーカー及び／又はレポーター遺伝子を用いて選別する工程、及び
３）選別されたｉＰＳ細胞を、非静的な培養方法で培養し、胚様体まで増殖させる工程
を含む方法。
【請求項２】
前記外来遺伝子が２種以上であり、遺伝子毎に異なる薬剤選択マーカー及び／又はレポーター遺伝子を組み合わせてエピソーマルベクター構築物を作製することを特徴とする、請求項１に記載の方法。
【請求項３】
前記外来遺伝子が２種であり、外来遺伝子毎に異なる薬剤選択マーカー及び／又は配列番号７又は８に記載の配列を有するレポーター遺伝子から選択される核酸を含むことを特徴とする、請求項１又は２に記載の方法。
【請求項４】
前記外来遺伝子が、分化を誘導する転写因子より選ばれることを特徴とする、請求項１から３のいずれか１項に記載の方法。
【請求項５】
前記転写因子は、ＦＯＸＡ２、ＧＡＴＡ４、ＨＥＸ及びＣ／ＥＢＰαからなる群から選択される２種以上であることを特徴とする、請求項４に記載の方法。
【請求項６】
前記非静的な培養方法は回転培養法であることを特徴とする、請求項１から５のいずれか１項に記載の方法。
【請求項７】
前記回転培養法における培養時の回転速度が２．５から９．９ｒｐｍであることを特徴とする、請求項６に記載の方法。
【請求項８】
前記ｉＰＳ細胞の培養は、１．６から１６０×１０３個／ｍＬの細胞濃度のｉＰＳ細胞の懸濁液を添加して培養することを特徴とする、請求項１から７のいずれか１項に記載の方法。
【請求項９】
ヒト人工多能性幹細胞（ｉＰＳ細胞）から成る外来遺伝子が導入された胚様体であって、
１）エピソーマルベクターを用いて、ｉＰＳ細胞に外来遺伝子を非リポソーム型カチオン性脂質トランスフェクション試薬を用いてトランスフェクションする工程、
２）外来遺伝子がトランスフェクションされたｉＰＳ細胞を、薬剤選択マーカー及び／又はレポーター遺伝子を用いて選別する工程、及び
３）選別されたｉＰＳ細胞を、非静的な培養方法で培養し、胚様体まで増殖させる工程
を含む方法で製造された胚様体。
【請求項１０】
ヒト人工多能性幹細胞（ｉＰＳ細胞）から成る胚様体に複数の外来遺伝子を発現させる方法であって、
１）エピソーマルベクターに、
(i) 外来遺伝子、
(ii) Ｇ４１８（登録商標）又はハイグロマイシンＢに対する薬剤選択マーカー、及び、
(iii) ＥＧＦＰをコードする核酸配列（配列番号７）又はＣｈｅｒｒｙＰｉｃｋｅｒ（登録商標）をコードする核酸配列（配列番号８）を有するレポーター遺伝子の(i)ないし(iii)を組み合わせて組み込んだ複数の種類のエピソーマルベクター構築物を作製する工程、
２）複数のエピソーマルベクター構築物を非リポソーム型カチオン性脂質トランスフェクション試薬を用いてｉＰＳ細胞にトランスフェクションすることにより、複数の外来遺伝子をｉＰＳ細胞にトランスフェクションする工程、
３） (i)ないし(iii)の組み合わせに対応して、
Ｇ４１８及び／又はハイグロマイシンＢの添加により薬剤選択マーカーを用いて、及び／又は、
緑色及び／又は赤色の蛍光を指標としてレポーター遺伝子を用いて、
前記複数の外来遺伝子が導入されたｉＰＳ細胞を選別する工程、並びに、
４）選別されたｉＰＳ細胞を、１．６から１６０×１０３個／ｍＬの細胞濃度で、回転速度２．５から９．９ｒｐｍの回転培養法で培養し、胚様体まで増殖させる工程
を含む方法。
【請求項１１】
ヒト人工多能性幹細胞（ｉＰＳ細胞）から成る外来遺伝子が導入された胚様体であって、
１）エピソーマルベクターに、
(i) 外来遺伝子、
(ii) Ｇ４１８（登録商標）又はハイグロマイシンＢに対する薬剤選択マーカー、及び、
(iii) ＥＧＦＰをコードする核酸配列（配列番号７）又はＣｈｅｒｒｙＰｉｃｋｅｒ（登録商標）をコードする核酸配列（配列番号８）を有するレポーター遺伝子の(i)ないし(iii)を組み合わせて組み込んだ複数の種類のエピソーマルベクター構築物を作製する工程、
２）複数のエピソーマルベクター構築物を非リポソーム型カチオン性脂質トランスフェクション試薬を用いてｉＰＳ細胞にトランスフェクションすることにより、複数の外来遺伝子をｉＰＳ細胞にトランスフェクションする工程、
３） (i)ないし(iii)の組み合わせに対応して、
Ｇ４１８及び／又はハイグロマイシンＢの添加により薬剤選択マーカーを用いて、及び／又は、
緑色及び／又は赤色の蛍光を指標としてレポーター遺伝子を用いて、
前記複数の外来遺伝子が導入されたｉＰＳ細胞を選別する工程、並びに、
４）選別されたｉＰＳ細胞を、１．６から１６０×１０３個／ｍＬの細胞濃度で、回転速度２．５から９．９ｒｐｍの回転培養法で培養し、胚様体まで増殖させる工程
を含む方法で製造された胚様体。
【手続補正書】
【提出日】平成29年2月16日(2017.2.16)
【手続補正１】
【補正対象書類名】特許請求の範囲
【補正対象項目名】全文
【補正方法】変更
【補正の内容】
【特許請求の範囲】
【請求項１】
被培養物を含む培養液を収容して被培養物を培養する培養袋であって、
一方向に対向する一対の主面フィルム本体を含む主面フィルムと、
前記一対の主面フィルム本体の間で、前記一方向に交差する他方向に対向して配置された一対の他面フィルム本体と、
を備え、
主面フィルム本体の周縁と他面フィルム本体の周縁とが接合されて第１シール領域が形成され、
主面フィルム同士が接合されて第２シール領域が形成され、
一方の他面フィルム本体の周縁のうちの、一方の主面フィルム本体と接合された第１部分と他方の主面フィルム本体と接合された第２部分との境界となる境界部分に沿って、前記一方の他面フィルム本体を折り畳んだときに、前記第１部分と前記第２部分との重なり合う位置に、前記第１部分と前記第２部分とを固定する固定領域が設けられている、培養袋。
【請求項２】
前記第１部分と前記第２部分とを接合する接合材料によって、前記固定領域が形成されている、請求項１に記載の培養袋。
【請求項３】
前記第１部分に孔が形成され、
前記境界部分に沿って前記一方の他面フィルム本体を折り畳んだときに前記第１部分に設けられた孔と重なり合う前記第２部分の位置に、孔が形成され、
前記接合材料は、前記第１部分に形成された孔と、前記第２部分に形成された孔とに、充填されている、請求項２に記載の培養袋。
【請求項４】
前記第１部分と接合された前記一方の主面フィルム本体の部分と、前記第２部分と接合された前記他方の主面フィルム本体の部分と、に亘って貼り付けられた接合テープによって前記第１部分と前記第２部分とが互いに固定され、前記固定領域が規定されている、請求項１に記載の培養袋。
【請求項５】
前記第１部分と接合された前記一方の主面フィルム本体の部分と、前記第２部分と接合された前記他方の主面フィルム本体の部分と、を挟持するクリップ部材によって前記第１部分と前記第２部分とが互いに固定され、前記固定領域が規定されている、請求項１に記載の培養袋。
【請求項６】
前記固定領域は、前記境界部分から前記他方向にずれた位置に配置されている、請求項１乃至５のいずれか一項に記載の培養袋。
【請求項７】
被培養物を含む培養液を収容して被培養物を培養する培養袋であって、
一方向に対向する一対の主面フィルム本体を有する主面フィルムと、
前記一対の主面フィルム本体の間で、前記一方向に交差する他方向に対向して配置された一対の他面フィルム本体と、
を備え、
主面フィルム本体の周縁と他面フィルム本体の周縁とが接合されて第１シール領域が形成され、
主面フィルム同士が接合されて第２シール領域が形成され、
一方の主面フィルム本体の第１シール領域及び第２シール領域をなす部分以外の部分と、一方の他面フィルム本体の第１シール領域をなす部分以外の部分と、が重なる位置に、前記一方の主面フィルム本体と前記一方の他面フィルム本体とを固定する固定領域が設けられていて、
前記固定領域は、前記一方の他面フィルム本体の周縁のうちの、前記一方の主面フィルム本体と接合された第１部分と他方の主面フィルム本体と接合された第２部分との境界となる境界部分よりも袋内方に位置している、培養袋。
【請求項８】
前記一方の主面フィルム本体と前記一方の他面フィルム本体とが接合されることにより、前記固定領域が形成されている、請求項７に記載の培養袋。
【請求項９】
前記一方の主面フィルム本体と前記一方の他面フィルム本体との間に追加フィルム片が配置されていて、
前記一方の主面フィルム本体と前記一方の他面フィルム本体と共に前記追加フィルム片が接合されることにより、前記固定領域が形成されている、請求項８に記載の培養袋。
【請求項１０】
被培養物を含む培養液を収容して被培養物を培養する培養袋であって、
一方向に対向する一対の主面フィルム本体を含む主面フィルムと、
前記一対の主面フィルム本体の間で、前記一方向に交差する他方向に対向して配置された一対の他面フィルム本体と、
を備え、
主面フィルム本体の周縁と他面フィルム本体の周縁とが接合されて第１シール領域が形成され、
主面フィルム同士が接合されて第２シール領域が形成され、
一対の主面フィルム本体の第１シール領域及び第２シール領域をなす部分以外の部分が互いに重なる位置に、当該一対の主面フィルム本体を互いに固定する固定領域が設けられていて、
前記固定領域は、一方の主面フィルム本体の周縁のうちの、他方の主面フィルム本体と接合された第３部分と一方の他面フィルム本体と接合された第４部分との境界となる境界部分よりも袋内方に位置している、培養袋。
【請求項１１】
前記一対の主面フィルム本体の互いに重なる部分が接合されることにより、前記固定領域が形成されている、請求項１０に記載の培養袋。
【請求項１２】
前記一対の主面フィルム本体の互いに重なる部分の間に追加フィルム片が配置されていて、
前記一対の主面フィルム本体の互いに重なる部分と共に前記追加フィルム片が接合されることにより、前記固定領域が形成されている、請求項１１に記載の培養袋。
【請求項１３】
請求項１乃至１２のいずれか一項に記載の培養袋を有する培養装置を用いて被培養物を培養する培養方法であって、
前記培養袋内に加圧状態で培養液を注入する工程と、
前記培養袋内にエアーを供給し前記培養袋内を加圧状態にして被培養物を培養する工程と、
を備える、培養方法。
【手続補正書】
【提出日】平成29年3月23日(2017.3.23)
【手続補正１】
【補正対象書類名】特許請求の範囲
【補正対象項目名】全文
【補正方法】変更
【補正の内容】
【特許請求の範囲】
【請求項１】
描画対象に接触して、前記描画対象に描画を施す描画用具が固定される描画用具ホルダと、
前記描画用具が固定された前記描画用具ホルダを移動可能に保持し、前記描画用具ホルダを、前記描画用具が前記描画対象から離間した待機位置から前記描画対象に接触する前記待機位置より下方の描画位置に、前記描画用具と前記描画用具ホルダの自重に基づいて下降させるガイド部と、
前記ガイド部において前記描画用具ホルダを下降させたときの前記描画用具ホルダの降下速度を抑制する速度抑制部と、
を備え、
前記速度抑制部は、前記降下速度を、当該速度抑制部が無いときの前記描画用具ホルダの降下速度より遅くすることを特徴とする描画装置。
【請求項２】
前記ガイド部は、前記描画用具ホルダの移動方向に沿って延在する壁部を有し、
前記速度抑制部は、前記ガイド部の前記壁部との間に摩擦力を発生させる弾性部材を有することを特徴とする請求項１に記載の描画装置。
【請求項３】
前記弾性部材は板バネであり、
前記板バネは、一端側が前記描画用具ホルダに固定され、多端側が前記ガイド部の前記壁部に当接し、前記壁部を押す方向に付勢して、前記壁部との間に前記摩擦力を発生させるように設けられていることを特徴とする請求項２に記載の描画装置。
【請求項４】
前記弾性部材は圧縮コイルバネであり、
前記描画用具ホルダは、前記壁部と対抗する側の面に前記圧縮コイルバネを受け入れる筒部を備え、
前記速度抑制部は、前記圧縮コイルバネが挿入された前記筒部の先端側と前記壁部との間に設けられ、前記圧縮コイルバネによって前記ガイド部の前記壁部に押し付けられる方向に付勢されて、前記壁部との間に前記摩擦力を発生させる球状のボール部材を有していることを特徴とする請求項２に記載の描画装置。
【請求項５】
前記描画用具を、前記待機位置と前記描画位置とに移動させる昇降機構を有し、
前記昇降機構は、
第１アーム部と前記第１アーム部に対して略直交する方向に延びる第２アーム部とを有する回動部材と、
前記第１アーム部及び前記第２アーム部を側面から見た側面視で、前記第１アーム部と前記第２アーム部との交点となる位置に設けられ、前記回動部材を回動可能に固定する回動軸部と、
前記第２アーム部に接続され、前記回動部材を回動させる駆動部と、を備え、
前記描画用具ホルダが、前記第１アーム部の先端側で下側から支持される突起部を有することを特徴とする請求項１から請求項４のいずれか１項に記載の描画装置。
【請求項６】
前記回動軸部に取り付けられ、前記第１アーム部を上方側に付勢するねじりコイルバネを備えることを特徴とする請求項５に記載の描画装置。
【請求項７】
さらに、インクジェット型の印刷ヘッドを備えることを特徴とする請求項１から請求項６のいずれか１項に記載の描画装置。